(57)【要約】【課題】装着状態の持続性を向上させることができるマスクを提供する。【解決手段】マスク１００は、マスク本体部２０と、第１紐部３０と、第２紐部４０と、面ファスナー部１０とを備える。マスク本体部２０は、２つの側端２３、２４を有する。第１紐部３０は、２つの側端２３、２４のうちの一方の側端２３と接続する。第２紐部４０は、２つの側端２３、２４のうちの他方の側端２４と接続する。面ファスナー部１０は、第１紐部３０と第２紐部４０とを連結する。面ファスナー部１０は、フック状面を含むフック状部１１と、パイル状面を含むパイル状部１２とを含む。面ファスナー部１０は、第２紐部４０を着脱可能に把持する。第２紐部４０は、フック状部１１に掛止可能なループ糸を有する。フック状部１２は、ループ糸とパイル状部１２とを掛止する。【選択図】図１
2018145548.tif 000002
【特許請求の範囲】
【請求項１】
２つの側端を有するマスク本体部と、
前記２つの側端のうちの一方の側端と接続する第１紐部と、
前記２つの側端のうちの他方の側端と接続する第２紐部と、
前記第１紐部と前記第２紐部とを連結する面ファスナー部と
を備え、
前記面ファスナー部は、フック状面を含むフック状部と、パイル状面を含むパイル状部とを含み、前記第２紐部を着脱可能に把持し、
前記第２紐部は、前記フック状部に掛止可能なループ糸を有し、
前記フック状部は、前記ループ糸と前記パイル状部とを掛止する、マスク。
【請求項２】
前記面ファスナー部は、前記第１紐部に固定されている、請求項１に記載のマスク。
【請求項３】
前記フック状面は、複数のフックを有し、
前記第２紐部は、前記ループ糸を有するループ糸部と、前記ループ糸部に隣接する弾性部材とを含み、
前記ループ糸は、複数の空隙を形成し、
前記面ファスナー部が前記第２紐部を把持すると前記フック状面が前記ループ糸部に当接し、前記フックは、前記空隙に挿通して前記ループ糸を掛止する、請求項１又は請求項２に記載のマスク。
【請求項４】
前記面ファスナー部は、折り返し自在な矩形状の基準部材を更に含み、
前記基準部材は、前記フック状部が配置される第１主面と、前記第１主面の裏面である第２主面とを有し、
前記パイル状部は、前記第２主面に配置され、
前記第１主面は、折り返す位置を示す第１折返し位置で折り返されて前記第１紐部を把持し、
第１折返し位置と異なる折り返す位置を示す第２折返し位置で前記第１主面が折り返される場合に、前記フック状部は、前記パイル状部を掛止する、請求項１から請求項３のいずれか１項に記載のマスク。
【請求項５】
前記基準部材は、前記パイル状部が配置される第１基準シートと、前記フック状部が配置される第２基準シートとから構成され、
前記第１折返し位置は、前記第１基準シートに位置し、
前記第２折返し位置は、前記第２基準シートに位置し、
前記第１基準シートの端部と、前記第２基準シートの端部とは、前記パイル状部の一部と前記フック状部の一部とを挟んで重なり、
前記パイル状部の前記一部は、前記フック状部の前記一部を掛止する、請求項４に記載のマスク。
【請求項６】
前記基準部材は、第１端部と中央部と第２端部とを含み、
前記第１端部は、前記第１折返し位置を介して前記中央部と隣接し、
前記中央部は、前記第２折返し位置を介して前記第２端部と隣接し、
前記第１主面は、前記第１端部に対応する第１領域と、前記中央部に対応する第２領域と、前記第２端部に対応する第３領域とを含み、
前記第２主面のうち前記第１端部に対応する主面は、第４領域であり、
前記フック状部は、前記第３領域に配置され、
前記パイル状部は、前記第４領域に配置され、
前記第１紐部は、前記第１領域と前記第２領域とによって把持されており、
前記第３領域が前記フック状部と前記パイル状部とを介して前記第４領域に当接すると、前記第２紐部は、前記第２領域と前記第３領域とによって把持される、請求項４又は請求項５に記載のマスク。
【請求項７】
前記基準部材は、第１端部と中央部と第２端部とを含み、
前記第１端部は、前記第１折返し位置を介して前記中央部と隣接し、
前記中央部は、前記第２折返し位置を介して前記第２端部と隣接し、
前記第１主面は、前記第１端部に対応する第１領域と、前記中央部に対応する第２領域と、前記第２端部に対応する第３領域とを含み、
前記第２主面のうち前記第１端部に対応する主面は、第４領域であり、
前記フック状部は、前記第３領域に配置され、
前記パイル状部は、前記第４領域に配置され、
前記第１紐部は、前記第１領域と前記第２領域とによって把持されており、
前記第２紐部は、前記第３領域と前記第４領域とによって前記フック状部と前記パイル状部とを介して挟まれると、前記第３領域と前記第４領域とによって把持される、請求項４又は請求項５に記載のマスク。
【請求項８】
前記第１紐部及び前記第２紐部の各々は、両端を有するゴム紐であり、
前記第１紐部の前記両端は、前記マスク本体部の前記一方の側端に固定されており、
前記第２紐部の前記両端は、前記マスク本体部の前記他方の側端に固定されており、
前記第２紐部の芯材は、糸ゴムであり、
前記芯材を覆う前記芯材の表層には、前記ループ糸が配置される、請求項１から請求項７のいずれか１項に記載のマスク。
【請求項９】
前記面ファスナー部の一部は、前記第１紐部を挟むように熱圧着される、請求項１から請求項８のいずれか１項に記載のマスク。
【発明の詳細な説明】
【技術分野】
【０００１】
本発明は、マスクに関する。
【背景技術】
【０００２】
マスクの両端の耳掛け紐を連結する連結部材が知られている。このような連結部材として、特許文献１に記載の連結部材（マスク用補助具）は、係止孔と係止突起とを有する係止部材と、両端に係止部材が付設された支持部材とを備える。特許文献１に記載の連結部材は、耳掛け紐を係止部材で挟み、係止孔に係止突起を挿入することによって耳掛け紐を係止する。特許文献１に記載の連結部材によれば、マスクを装着中のユーザーに耳掛け部による耳の痛みが生じることを抑制できる。
【先行技術文献】
【特許文献】
【０００３】
【特許文献１】特開２０１１−５５８９６号公報
【発明の概要】
【発明が解決しようとする課題】
【０００４】
マスクは、例えば、日常生活及び医療機関で使用される。装着中のマスクは、微生物等の付着によって汚染されている可能性があるため、装着している間には触れないことが推奨される。特に、医療機関では、医療従事者は、院内感染を予防する個人防護具の１つとしてマスクを装着するため、マスクには装着状態を確実に持続できる持続性が要求される。
【０００５】
しかしながら、特許文献１に記載の連結部材では、係止孔から係止突起が外れれば、連結部材が耳掛け紐から外れる。医療業務中に不意に連結部材が耳掛け紐から外れた場合、外れた反動で連結部材が患者に当たったり、マスク自体が医療従事者の頭部から外れたりする恐れがある。このように、特許文献１に記載の連結部材では、マスクの装着状態の持続性を維持することが困難であった。
【０００６】
本発明は上記課題に鑑みてなされたものであり、装着状態の持続性を向上させることができるマスクを提供することを目的とする。
【課題を解決するための手段】
【０００７】
本発明に係るマスクは、マスク本体部と、第１紐部と、第２紐部と、面ファスナー部とを備える。前記マスク本体部は、２つの側端を有する。第１紐部は、前記２つの側端のうちの一方の側端と接続する。第２紐部は、前記２つの側端のうちの他方の側端と接続する。面ファスナー部は、前記第１紐部と前記第２紐部とを連結する。前記面ファスナー部は、フック状面を含むフック状部と、パイル状面を含むパイル状部とを含む。前記面ファスナー部は、前記第２紐部を着脱可能に把持する。前記第２紐部は、前記フック状部に掛止可能なループ糸を有する。前記フック状部は、前記ループ糸と前記パイル状部とを掛止する。
【０００８】
ある実施形態において、面ファスナー部は、前記第１紐部に固定されている。
【０００９】
ある実施形態において、前記フック状面は、複数のフックを有する。前記第２紐部は、前記ループ糸を有するループ糸部と、前記ループ糸部に隣接する弾性部材とを含む。前記ループ糸は、複数の空隙を形成する。前記面ファスナー部が前記第２紐部を把持すると前記フック状面が前記ループ糸部に当接し、前記フックは、前記空隙に挿通して前記ループ糸を掛止する。
【００１０】
ある実施形態において、前記面ファスナー部は、折り返し自在な矩形状の基準部材を更に含む。前記基準部材は、前記フック状部が配置される第１主面と、前記第１主面の裏面である第２主面とを有する。前記パイル状部は、前記第２主面に配置される。前記第１主面は、折り返す位置を示す第１折返し位置で折り返されて前記第１紐部を把持する。第１折返し位置と異なる折り返す位置を示す第２折返し位置で前記第１主面が折り返される場合に、前記フック状部は、前記パイル状部を掛止する。
【００１１】
ある実施形態において、前記基準部材は、前記パイル状部が配置される第１基準シートと、前記フック状部が配置される第２基準シートとから構成される。前記第１折返し位置は、前記第１基準シートに位置する。前記第２折返し位置は、前記第２基準シートに位置する。前記第１基準シートの端部と、前記第２基準シートの端部とは、前記パイル状部の一部と前記フック状部の一部とを挟んで重なる。前記パイル状部の前記一部は、前記フック状部の前記一部を掛止する。
【００１２】
ある実施形態において、前記基準部材は、第１端部と中央部と第２端部とを含む。前記第１端部は、前記第１折返し位置を介して前記中央部と隣接する。前記中央部は、前記第２折返し位置を介して前記第２端部と隣接する。前記第１主面は、前記第１端部に対応する第１領域と、前記中央部に対応する第２領域と、前記第２端部に対応する第３領域とを含む。前記第２主面のうち前記第１端部に対応する主面は、第４領域である。前記フック状部は、前記第３領域に配置される。前記パイル状部は、前記第４領域に配置される。前記第１紐部は、前記第１領域と前記第２領域とによって把持されており、前記第３領域が前記フック状部と前記パイル状部とを介して前記第４領域に当接すると、前記第２紐部は、前記第２領域と前記第３領域とによって把持される。
【００１３】
ある実施形態において、前記基準部材は、第１端部と中央部と第２端部とを含む。前記第１端部は、前記第１折返し位置を介して前記中央部と隣接する。前記中央部は、前記第２折返し位置を介して前記第２端部と隣接する。前記第１主面は、前記第１端部に対応する第１領域と、前記中央部に対応する第２領域と、前記第２端部に対応する第３領域とを含む。前記第２主面のうち前記第１端部に対応する主面は、第４領域である。前記フック状部は、前記第３領域に配置される。前記パイル状部は、前記第４領域に配置される。前記第１紐部は、前記第１領域と前記第２領域とによって把持されており、前記第２紐部は、前記第３領域と前記第４領域とによって前記フック状部と前記パイル状部とを介して挟まれると、前記第３領域と前記第４領域とによって把持される。
【００１４】
ある実施形態において、前記第１紐部及び前記第２紐部の各々は、両端を有するゴム紐である。前記第１紐部の前記両端は、前記マスク本体部の前記一方の側端に固定されている。前記第２紐部の前記両端は、前記マスク本体部の前記他方の側端に固定されている。前記第２紐部の芯材は、糸ゴムである。前記芯材を覆う前記芯材の表層には、前記ループ糸が配置される。
【００１５】
ある実施形態において、前記面ファスナー部の一部は、前記第１紐部を挟むように熱圧着される。
【発明の効果】
【００１６】
本発明のマスクによれば、装着状態の持続性を向上させることができる。
【図面の簡単な説明】
【００１７】
【図１】（ａ）は、本発明の実施形態に係るマスクを示す斜視図であり、（ｂ）は、本発明の実施形態に係るマスクがユーザーによって装着された状態を示す図である。
【図２】（ａ）及び（ｂ）は、本発明の実施形態に係るマスクのフック状部を示す側面図であり、（ｃ）及び（ｄ）は、パイル状部を示す側面図である。
【図３】（ａ）及び（ｂ）は、図１（ａ）のＩＩＩ−ＩＩＩ線に沿った断面図である。
【図４】本発明の実施形態に係るマスクを示す斜視図である。
【図５】（ａ）及び（ｂ）は、本発明の実施形態に係るマスクの面ファスナー部と第１紐部とを示す斜視図である。
【図６】（ａ）は、本発明の実施形態に係るマスクの面ファスナー部と第１紐部と第２紐部とを示す平面図であり、（ｂ）及び（ｃ）は、本発明の実施形態に係るマスクの面ファスナー部と第１紐部と第２紐部とを示す側面図である。
【図７】（ａ）及び（ｂ）は、本発明の実施形態に係るマスクの面ファスナー部と第１紐部と第２紐部とを示す側面図である。
【図８】（ａ）は、本発明の実施形態に係るマスクの面ファスナー部と第１紐部と第２紐部とを示す平面図であり、（ｂ）及び（ｃ）は、本発明の実施形態に係るマスクの面ファスナー部と第１紐部と第２紐部とを示す側面図である。
【図９】（ａ）〜（ｄ）は、本発明の実施形態に係るマスクの面ファスナー部と第１紐部と第２紐部とを示す側面図である。
【図１０】（ａ）は、本発明の実施形態の変形例に係るマスクの面ファスナー部を示す側面図であり、（ｂ）及び（ｃ）は、本発明の実施形態の変形例に係るマスクの面ファスナー部と第１紐部と第２紐部とを示す側面図である。
【図１１】（ａ）及び（ｂ）は、本発明の実施形態の変形例に係るマスクの面ファスナー部と第１紐部と第２紐部とを示す側面図である。
【発明を実施するための形態】
【００１８】
以下、本発明の実施形態について、図面を参照しながら説明する。なお、図中、同一又は相当部分については同一の参照符号を付して説明を繰り返さない。
【００１９】
図１を参照して、本発明の実施形態に係るマスク１００の構成の概要を説明する。図１（ａ）は、マスク１００を示す斜視図である。図１（ｂ）は、マスク１００がユーザーによって装着された状態を示す図である。以下、マスク１００の装着を完了する前のユーザーを単に「ユーザー」と記載する。
【００２０】
図１（ａ）に示すように、マスク１００は、マスク本体部２０と、第１紐部３０と、第２紐部４０と、面ファスナー部１０とを備える。マスク１００は、例えば、衛生マスク及びサージカルマスクである。
【００２１】
マスク本体部２０は、上端２１と下端２２と側端２３と側端２４（２つの側端）とを有する。マスク本体部２０は、例えば、矩形状の単数又は複数の布で構成される。布は、例えば、不織布又はガーゼである。マスク本体部２０は、ノーズピース２５を含み、更にプリーツ２６が形成されていることが好ましい（プリーツ型マスク）。
【００２２】
第１紐部３０は、マスク本体部２０の２つの側端のうちの一方の側端２３と接続する。第２紐部４０は、２つの側端のうちの他方の側端２４と接続する。具体的には、第１紐部３０及び第２紐部４０の各々は、例えば、両端を有するゴム紐である。第１紐部３０の両端は、例えば、側端２３に溶着されることによって固定される。第２紐部４０の両端は、例えば、側端２４に溶着されることによって固定される。第２紐部４０は、ループ糸を有する。第２紐部４０の詳細（特に、ループ糸の詳細）については、図３を参照して後述する。
【００２３】
面ファスナー部１０は、フック状部１１とパイル状部１２とを含む。フック状部１１はフック状面を含む。パイル状部１２はパイル状面を含む。フック状部１１の詳細については、図２（ａ）及び（ｂ）を参照し、パイル状部１２の詳細については、図２（ｃ）及び（ｄ）を参照して、後述する。面ファスナー部１０は第１紐部３０と連結する。面ファスナー部１０は第２紐部４０を着脱可能に把持する。
【００２４】
図１（ｂ）に示すように、ユーザーは、マスク本体部２０で鼻と口とを覆いつつ、第２紐部４０を巻き込むように面ファスナー部１０に把持させることによってマスク１００を装着する。面ファスナー部１０は、第２紐部４０を把持することによって第２紐部４０と連結する。ユーザーは、鼻先よりも上方にマスク本体部２０の上端２１を掛止し、顎先よりも下方にマスク本体部２０の下端２２を掛止させることによって、マスク１００を更に安定して装着できる。
【００２５】
次に、図２を参照して、本発明の実施形態に係るフック状部１１及びパイル状部１２の構成を説明する。図２（ａ）及び（ｂ）は、フック状部１１を示す側面図である。図２（ｃ）及び（ｄ）は、パイル状部１２を示す側面図である。
【００２６】
図２（ａ）及び（ｂ）に示すように、フック状部１１は、フック状面１１ａを含む。フック状部１１は、例えば、雄面ファスナーである。詳細には、フック状面１１ａは、複数のフック１１ｂを有する。フック状部１１は、フック１１ｂが成形される基面１１ｃを含んでいてもよい。フック１１ｂは、例えば、図２（ａ）に示すような倒立Ｊ字形状又は図２（ｂ）に示すようなＴ字形状の柱状部材である。フック１１ｂの材質は、例えば、ポリエステル又はナイロンである。
【００２７】
図２（ｃ）及び（ｄ）に示すように、パイル状部１２は、パイル状面１２ａを含む。パイル状部１２は、例えば、雌面ファスナーである。詳細には、パイル状部１２は、複数のパイル糸１２ｂを有する。パイル状部１２は、パイル糸１２ｂが成形される基面１２ｃを含んでいてもよい。パイル糸１２ｂは、例えば、図２（ｃ）に示すように輪奈状に形成されてもよいし、図２（ｄ）に示すように経糸と緯糸とによって短い糸の端を織り出すように基面１２ｃに形成されてもよい。パイル糸１２ｂの材質は、例えば、ポリエステル又はナイロンである。
【００２８】
フック状部１１は、パイル状部１２を掛止する。すなわち、複数のフック１１ｂは、パイル糸１２ｂで形成される空隙１２ｄに挿通して複数のパイル糸１２ｂを掛止する。
【００２９】
次に、図３を参照して、本発明の実施形態に係る第２紐部４０の構成を説明する。図３（ａ）及び（ｂ）は、図１（ａ）のＩＩＩ−ＩＩＩ線に沿った断面図である。
【００３０】
図３（ａ）に示すように、第２紐部４０は、ループ糸部４１と芯材４２とを含む。ループ糸部４１は、例えば、芯材４２を覆うように芯材４２の表層に配置される。芯材４２は、例えば、断面が円形状であり、ゴム（糸ゴム）であることが好ましい。ループ糸部４１は、フック状部１１に掛止可能なループ糸４１ａを有する。すなわち、ループ糸４１ａは、複数の空隙４１ｂを形成する。ループ糸４１ａは、複数の空隙４１ｂを輪奈状に形成してもよいし、経糸と緯糸とによって短い糸の端を織り出すように形成してもよい。さらに、図３（ｂ）に示すように、第２紐部４０は、ループ糸４１ａが成形される基面４３を含んでいてもよい。また、芯材４２は、例えば、断面が平板形状のゴムであってもよい。
【００３１】
フック状部１１（図２参照）は、ループ糸４１ａを掛止する。すなわち、面ファスナー部１０が第２紐部４０を把持すると、フック状面１１ａがループ糸部４１に当接する。フック１１ｂは、ループ糸４１ａの空隙４１ｂに挿通してループ糸４１ａを掛止する。
【００３２】
引き続き図４を参照して、第２紐部４０の構成を説明する。図４は、マスク１００を示す斜視図である。例えば、第２紐部４０は、弾性部材４４を含んでいてもよい。弾性部材４４は、ループ糸部４１に隣接し、例えば、ゴム又は伸縮性のある布である。図４に示すように、第２紐部４０のうち、面ファスナー部１０が第２紐部４０を把持することが少ない部分に弾性部材４４を配置し、面ファスナー部１０が第２紐部４０を把持することが多い部分のみにループ糸部４１を配置してもよい。なお、本明細書では、第２紐部４０の全体にループ糸部４１が配置される実施形態について説明する。
【００３３】
以上、図１〜図３を参照して説明したように、本実施形態によれば、マスク１００は、面ファスナー部１０とマスク本体部２０と第１紐部３０と第２紐部４０とを備える。面ファスナー部１０は、第１紐部３０と第２紐部４０とを連結する。面ファスナー部１０は、フック状部１１とパイル状部１２とを含み、第２紐部４０を着脱可能に把持する。第２紐部４０は、フック状部１１に掛止可能なループ糸４１ａを有する。面ファスナー部１０が第２紐部４０を把持すると、フック状部１１は、ループ糸４１ａを掛止する（第１段階）と共にパイル状部１２を掛止する（第２段階）。このように、面ファスナー部１０は、第１段階と第２段階とによって２重に第２紐部４０を掛止することで第２紐部４０を把持する。従って、面ファスナー部１０が第２紐部４０から不意に外れることを抑制できる。その結果、マスク１００の装着状態の持続性を向上させることができる。
【００３４】
また、本実施形態によれば、第２紐部４０の芯材４２としてゴムを使用し、芯材４２の表層にループ糸４１ａを配置することが好ましい。ユーザーがマスク１００を装着する際、フック状面１１ａは、ループ糸４１ａを介在させてゴムに押圧される。フック１１ｂは、押圧されたゴムの弾性力に応じてループ糸４１ａの空隙４１ｂに深く挿通される。従って、フック状部１１は、ループ糸４１ａを更に強固に掛止できる。その結果、フック状面１１ａを押圧するために要するユーザーの力を軽減できる。なお、芯材４２は、断面が円形状であり、糸ゴムであることが好ましい。ループ糸４１ａは、糸ゴムの表面に沿って放射状に広がって突出する。従って、フック１１ｂを、ループ糸４１ａの空隙４１ｂに容易に挿通することができる。
【００３５】
また、図４を参照して説明したように、本実施形態によれば、第２紐部４０は、ループ糸部４１に隣接する弾性部材４４を含んでいてもよい。第２紐部４０のうち面ファスナー部１０が第２紐部４０を把持することが多い部分に対応させて、ループ糸部４１を配置することができる。その結果、面ファスナー部１０が第２紐部４０から不意に外れることを効率的に抑制できる。
【００３６】
次に、図５を参照して、面ファスナー部１０と第１紐部３０との連結状態の詳細について説明する。図５（ａ）及び（ｂ）は、面ファスナー部１０と第１紐部３０とを示す斜視図である。
【００３７】
図５（ａ）に示すように、面ファスナー部１０は、ステープラーのような固定部材１３を更に含むことが好ましい。面ファスナー部１０は、摺動不可能に第１紐部３０に固定される。例えば、面ファスナー部１０は、第１紐部３０を挟むように固定部材１３で固定される。図５（ｂ）に示すように、第１紐部３０に更に固定部材１３を貫通させてもよい。面ファスナー部１０が第１紐部３０に摺動しないため、マスク１００の装着状態の持続性を更に向上させることができる。
【００３８】
また、面ファスナー部１０の一部は、第１紐部３０を挟むように熱圧着されることが好ましい。さらに、面ファスナー部１０の一部は、熱圧着しやすい樹脂で形成されることが好ましい。熱圧着によれば、固定部材１３を要することなく面ファスナー部１０を第１紐部３０に固定できる。従って、部品点数を低減しマスク１００を軽量化できる。その結果、マスク１００を長時間装着することによる疲労感を軽減できる。
【００３９】
次に、図６及び図７を参照して、面ファスナー部１０が第１紐部３０と第２紐部４０とに連結する構成及び動作について説明する。図６（ａ）は、面ファスナー部１０と第１紐部３０と第２紐部４０とを示す平面図である。図６（ｂ）〜図７（ｂ）は、面ファスナー部１０と第１紐部３０と第２紐部４０とを示す側面図である。なお、図６（ｂ）は、図６（ａ）に対応する側面図を示す。
【００４０】
図６（ａ）及び（ｂ）に示すように、面ファスナー部１０は、基準部材１４を更に含む。基準部材１４は、折り返し自在であり、例えば、短手方向の一辺が２．５ｃｍ、長手方向の一辺が５ｃｍの矩形状である。基準部材１４は、例えば、樹脂シート、織布、又は不織布である。基準部材１４は、第１主面１４ａと、第１主面１４ａの裏面である第２主面１４ｂとを有する。第１主面１４ａには、フック状部１１が配置される。パイル状部１２は、第２主面１４ｂに配置される。フック状部１１及びパイル状部１２は、基準部材１４と共に折り返し自在である。第１折返し位置１４ｃ及び第２折返し位置１４ｄは、基準部材１４を折り返す位置の一例を示す。第２折返し位置１４ｄは、第１折返し位置１４ｃと異なる折り返す位置を示す。基準部材１４の短手方向の一辺と第１折返し位置１４ｃとの間の長さは、例えば、１．５ｃｍである。第１折返し位置１４ｃと第２折返し位置１４ｄとの間の長さは、例えば、１ｃｍ〜２ｃｍであり、好ましくは、例えば、１．５ｃｍ〜２ｃｍである。
【００４１】
図６（ｃ）に示すように、第１主面１４ａは、第１折返し位置１４ｃで折り返されること（谷折り）によって、第１紐部３０を挟むように把持する。その結果、面ファスナー部１０は、第１紐部３０と連結する。このとき、面ファスナー部１０は、第１紐部３０に摺動しないように固定されることが好ましい。ユーザーは図６（ｃ）に示す状態から装着動作を開始する。
【００４２】
図７（ａ）に示すように、ユーザーは、第２紐部４０をフック状部１１に当接させる。そして、図７（ｂ）に示すように、第１主面１４ａが第２折返し位置１４ｄで折り返される（谷折り）。フック状部１１は、パイル状部１２と重なり合うように当接し、パイル状部１２を掛止する。
【００４３】
このように、本実施形態によれば、面ファスナー部１０を一度折り返すことによって、面ファスナー部１０と第２紐部４０との連結動作を完了する。従って、ユーザーは、ホックの凹凸を一致させるような厳密な位置決め動作を要しない。その結果、簡易な動作でマスク１００を装着すると共に、マスク１００が不意に外れることをも抑制できる。なお、面ファスナー部１０と第２紐部４０とを連結する際、ユーザーの後頭部に対する平面視で面ファスナー部１０を谷折りすれば、ユーザーの頭髪の巻込みをも抑制できる。
【００４４】
続いて、図８及び図９を参照して、面ファスナー部１０が第１紐部３０と第２紐部４０とに連結する構成及び動作について更に詳細に説明する。図８（ａ）は、面ファスナー部１０と第１紐部３０と第２紐部４０とを示す平面図である。図８（ｂ）〜図９（ｄ）は、面ファスナー部１０と第１紐部３０と第２紐部４０とを示す側面図である。なお、図８（ｂ）は、図８（ａ）に対応する側面図を示す。
【００４５】
図８（ａ）及び（ｂ）に示すように、基準部材１４は、第１端部１４ｘと中央部１４ｙと第２端部１４ｚとを更に含む。第１端部１４ｘは、第１折返し位置１４ｃを介して中央部１４ｙと隣接する。中央部１４ｙは、第２折返し位置１４ｄを介して第２端部１４ｚと隣接する。第１主面１４ａは、第１領域１４ａ１と第２領域１４ａ２と第３領域１４ａ３とを含む。第１領域１４ａ１は、第１端部１４ｘに対応する。第２領域１４ａ２は、中央部１４ｙに対応する。第３領域１４ａ３は、第２端部１４ｚに対応する。第２主面１４ｂは、第４領域１４ｂ１と第５領域１４ｂ２と第６領域１４ｂ３とを含む。第４領域１４ｂ１は、第１端部１４ｘに対応する。第５領域１４ｂ２は、中央部１４ｙに対応する。第６領域１４ｂ３は、第２端部１４ｚに対応する。フック状部１１は、第３領域１４ａ３に配置される。パイル状部１２は、第４領域１４ｂ１に配置される。
【００４６】
図８（ｃ）に示すように、第１紐部３０は、第１領域１４ａ１と第２領域１４ａ２とによって把持されている。ユーザーは、図８（ｃ）に示す状態から装着動作を開始する。
【００４７】
図９（ａ）に示すように、ユーザーは、第２紐部４０をフック状部１１に当接させる。そして、図９（ｂ）に示すように、第３領域１４ａ３は、フック状部１１とパイル状部１２とを介して第４領域１４ｂ１に当接する。第２紐部４０は、第２領域１４ａ２と第３領域１４ａ３（フック状部１１）とによって挟まれるように把持される。
【００４８】
なお、図９（ｃ）に示すように、第２紐部４０は、第２領域１４ａ２に当接せずに第３領域１４ａ３のみ（フック状部１１のみ）に当接して把持されてもよい。また、図９（ｄ）に示すように、第２紐部４０は、第３領域１４ａ３と第４領域１４ｂ１とによって把持されてもよい。すなわち、第２紐部４０は、第３領域１４ａ３と第４領域１４ｂ１とによって、フック状部１１とパイル状部１２とを介して挟まれていてもよい。
【００４９】
このように、本実施形態によれば、面ファスナー部１０は、第１端部１４ｘと中央部１４ｙと第２端部１４ｚとが重なるように三つ折りされる。つまり、面ファスナー部１０は、このように三つ折り可能な面積を有しさえすればよい。従って、第１紐部３０と第２紐部４０とを連結する連結部材（面ファスナー部１０）を小型化できる。その結果、マスク１００を軽量化できる。さらに、ユーザーは、図９（ａ）〜（ｄ）に示すように所望の位置に第２紐部４０を当接させればよいため、後ろ手であっても直感的に面ファスナー部１０と第２紐部４０とを連結できる。さらに、図９（ｄ）に示すように面ファスナー部１０がフック状部１１とパイル状部１２との間に第２紐部４０を挟んで把持することもできるため、基準部材１４を更に小型化して構成できる。
【００５０】
次に、図１０及び図１１を参照して、面ファスナー部１０の変形例を説明する。図１０（ａ）は、面ファスナー部１０を示す側面図である。図１０（ｂ）〜図１１（ｂ）は、面ファスナー部１０と第１紐部３０と第２紐部４０とを示す側面図である。
【００５１】
図１０（ａ）に示すように、基準部材１４は、第１基準シート１４ｓと第２基準シート１４ｔとから構成されていてもよい。詳細には、第１基準シート１４ｓは、第１シート端部１４ｓ１（端部１４ｓ１）を有する。第１基準シート１４ｓには、パイル状部１２が配置される。第１基準シート１４ｓは、例えば、雌面ファスナーである。第２基準シート１４ｔは、第２シート端部１４ｔ１（端部１４ｔ１）を有する。第２基準シート１４ｔには、フック状部１１が配置される。第２基準シート１４ｔは、例えば、雄面ファスナーである。
【００５２】
図１０（ｂ）に示すように、第１シート端部１４ｓ１と第２シート端部１４ｔ１とは、パイル状部１２の一部とフック状部１１の一部とを挟んで重なる。パイル状部１２の一部がフック状部１１の一部を掛止することによって、基準部材１４は、第１基準シート１４ｓと第２基準シート１４ｔとがパイル状部１２の一部とフック状部１１の一部とを介して接着されるようにして構成される。第１折返し位置１４ｃは、第１基準シート１４ｓに位置する。第２折返し位置１４ｄは、第２基準シート１４ｔに位置する。なお、図８（ｂ）を参照して説明した第１主面１４ａ、第２主面１４ｂ、第１端部１４ｘ、中央部１４ｙ、第２端部１４ｚ、及び第１領域１４ａ１〜第６領域１４ｂ３の各々については、図１０（ｂ）に示す基準部材１４についても同様に対応するため、図１０（ｂ）における説明を省略する。
【００５３】
図１０（ｃ）に示すように、第１領域１４ａ１と第２領域１４ａ２とは、第１折返し位置１４ｃで折り返されること（谷折り）によって、第１紐部３０を挟むように把持する。その結果、面ファスナー部１０は、第１紐部３０と連結する。折り返す際、重なり合う第１基準シート１４ｓと第２基準シート１４ｔとを固定部材１３（図６参照）で固定してもよい。ユーザーは、図１０（ｃ）に示す状態から装着動作を開始する。
【００５４】
図１１（ａ）に示すように、ユーザーは、第２紐部４０をフック状部１１に当接させる。第３領域１４ａ３は、フック状部１１とパイル状部１２とを介して第４領域１４ｂ１に当接する。第２紐部４０は、フック状部１１によって把持される。なお、図１１（ｂ）に示すように、第２紐部４０は、第３領域１４ａ３（フック状部１１）と第４領域１４ｂ１（パイル状部１２）とによって挟まれるように把持されてもよい。
【００５５】
このように、本変形例によれば、基準部材１４は、第１基準シート１４ｓ（雌面ファスナー）と第２基準シート１４ｔ（雄面ファスナー）とから構成される。第１シート端部１４ｓ１と第２シート端部１４ｔ１とは、パイル状部１２の一部とフック状部１１の一部とを挟んで重なる。一般に、雌面ファスナーと雄面ファスナーとは、一対で流通していることが多い。従って、入手し易い材料で基準部材１４を構成しつつ、第１シート端部１４ｓ１と第２シート端部１４ｔ１とを容易に接着できる。その結果、マスク１００が不意に外れることを簡素な構成で抑制できる。
【００５６】
以上、図面（図１〜図１１）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状等は一例であって、特に限定されるものではなく、本発明の構成から実質的に逸脱しない範囲で種々の変更が可能である。
【００５７】
（１）図１を参照して説明したマスク１００は、衛生マスク及びサージカルマスクであったが、本発明はこれに限られない。マスク１００は、面ファスナー部１０が第１紐部３０と第２紐部４０とを連結できるマスクでありさえすればよい。このようなマスク１００は、例えば、産業用マスク（防塵マスク、防毒マスク）を含む。
【００５８】
（２）図１を参照して説明したマスク１００は、プリーツ型マスクであったが、本発明はこれに限られない。マスク１００は、面ファスナー部１０が第１紐部３０と第２紐部４０とを連結できるマスクでありさえすればよい。このようなマスク１００は、例えば、平型マスクと立体型マスクとを含む。
【００５９】
（３）図３及び図４を参照して説明した第２紐部４０は、芯材４２を含んでいたが、本発明はこれに限られない。第２紐部４０は、フック１１ｂの掛止可能なパイル糸１２ｂを含みさえすればよい。このような第２紐部４０の構成として、例えば、面ファスナー部１０が第２紐部４０を把持することが多い部分のみをパイル織物で構成すればよい。これにより、面ファスナー部１０が第２紐部４０から不意に外れることを効率的に抑制できる。
【産業上の利用可能性】
【００６０】
本発明は、マスクの分野に利用可能である。
【符号の説明】
【００６１】
１０      面ファスナー部
１００    マスク
１１      フック状部
１１ａ    フック状面
１１ｂ    フック
１２      パイル状部
１２ａ    パイル状面
１４      基準部材
１４ａ    第１主面
１４ａ１  第１領域
１４ａ２  第２領域
１４ａ３  第３領域
１４ｂ    第２主面
１４ｂ１  第４領域
１４ｃ    第１折返し位置
１４ｄ    第２折返し位置
１４ｓ    第１基準シート
１４ｓ１  端部
１４ｔ    第２基準シート
１４ｔ１  端部
１４ｘ    第１端部
１４ｙ    中央部
１４ｚ    第２端部
２０      マスク本体部
２３      側端
２４      側端
３０      第１紐部
４０      第２紐部
４１      ループ糸部
４１ａ    ループ糸
４１ｂ    空隙
４２      芯材
４４      弾性部材
【図１】
2018145548.tif 000003
【図２】
2018145548.tif 000004
【図３】
2018145548.tif 000005
【図４】
2018145548.tif 000006
【図５】
2018145548.tif 000007
【図６】
2018145548.tif 000008
【図７】
2018145548.tif 000009
【図８】
2018145548.tif 000010
【図９】
2018145548.tif 000011
【図１０】
2018145548.tif 000012
【図１１】
2018145548.tif 000013